(57)【要約】【課題】水中から加わる負荷方向に浮き中心軸が向きやすく、抵抗の少ない入水角度と魚信に対し感度の良い浮きを提供することを目的とする。【解決手段】浮きの下部に埋め込み錘２を設けた玉子型または円錐型の投げ込み浮きにおいて、浮き本体１を比重０．６以上の自然素材または樹脂成形品で形成すると共に、下部に埋め込む錘２を浮き本体重量よりも軽量の錘を埋め込むようにして高重心の浮きとした。また浮き本体１を自然素材ラミンで形成した。【選択図】  図１
2004337014.tif 000002
【特許請求の範囲】
【請求項１】
浮きの下部に埋め込み錘（２）を設けた玉子型または円錐型の投げ込み浮きにおいて、浮き本体（１）を比重０．６以上の自然素材または樹脂成形品で形成すると共に、下部に埋め込む錘（２）を浮き本体重量よりも軽量の錘を埋め込むようにして高重心の浮きとしたことを特徴とする釣り用浮き。
【請求項２】
浮き本体（１）を自然素材ラミンで形成したことを特徴とする請求項１記載の釣り用浮き。
【発明の詳細な説明】
【０００１】
【発明の属する技術分野】
本発明は、浮きの下部に埋め込み錘を設けた玉子型または円錐型の投げ込み浮きであって、その浮き本体を従来よりも比重の大きな素材で形成し、魚の当たりがあったとき浮き中心軸が負荷方向に向きやすくした浮きに関する。
【０００２】
【従来の技術】
【特許文献１】特開２０００−２８７５９３号
【特許文献２】特開平１０−４２７６２号
【非特許文献１】「新しい海洋科学」１１９頁、１５４頁〜１５６頁  熊沢源右衛門著、成山堂書店
【非特許文献２】「家具の辞典」２７５頁、剣持  仁編、朝倉書店
【０００３】
従来の円錐型または玉子型の投げ浮きは、特許文献１に開示されるように飛距離の確保や水中での安定性を得るため、主として桐材（比重０．３）が主流であり、その他に発泡樹脂材、プラスチック成形品、コルクなど桐材同等の低比重の素材で浮き本体を形成し、浮き下部に重い錘を設けた低重心の構造となっている。
【０００４】
しかしながら、水中にあって浮きには、図２に示すように魚のアタリや潮流を受けた刺しエサやハリスなどの浮きを引き込む負荷が作用する。この負荷は潮流や魚の捕食行動から浮き中心軸線に対して鉛直方向には加わることはなく、中心軸線に対し任意の角度を成し放射状に加わる負荷となる。しかも水中の釣り糸と浮きとの接触点となる浮き最下部に作用して浮き上部へと伝わることから、浮き下部の錘の比重が大きくなるほど垂直に起立しようとする力が働き、魚の引き方向への抵抗が大きくなるため当たり感度が悪いという欠点がある。更に浮き本体が比重の小さな素材であるため、水面上に残る残存浮力が大きく、魚の捕食行動に違和感を与え魚信が途絶える等の問題点がある。
【０００５】
すなわち、従来の浮きは、浮き本体を低比重の素材で形成され、下部に錘を設けた低重心の構造となっており次の欠点がある。
▲１▼垂直に起立しようとする力が作用して魚が引いたときに入水抵抗が生じて引きが直ちに伝わり難い。
▲２▼浮き本体の比重が小さく水面上に残る残存浮力が大きい。
▲３▼浮きが波に同調して先端がふらつき当たりが見づらい。
【０００６】
また浮きに求められる要素は、「潮乗り」、「感度」、「安定性」、「遠投性」、及び「視認性」等がある。これらは浮きの体積と形状に密接に関係してくる。例えば、浮き体積を小さくすると感度は良くなるが、潮流を受ける面積が小さくなり潮乗りが悪くなる。形状を細くするのも同様となる。また浮きの自重も軽くなるので遠投性が悪くなる。
【０００７】
【発明が解決しようとする課題】
（１）負荷伝達の円滑性と入水抵抗
水中から浮きに加わる負荷には魚の当たりと潮の流れ方向に引かれるハリスと刺しエサの負荷がある。この負荷は浮きとハリスとの接触点となる浮き最下部に作用して浮き上部へと伝わり浮きを引き込む負荷となる。このときの負荷の伝達効率は、浮きに加わる負荷方向と浮き中心軸線が一直線になるほど良くなる。
【０００８】
この負荷は潮流や魚の捕食行動から、浮きの中心軸線に対して垂直方向に加わることはなく任意の角度をなし放射状に加わる。このことにより従来の浮き下部の埋め込み錘が重く低重心の構造では前記負荷に対する抵抗が大きくなり、小さな負荷になるほど上部に伝わりにくく、浮きの中心軸が負荷方向に向かずに浮きが立った姿勢で引き込まれるためその分、入水抵抗が大きくなる欠点がある。
【０００９】
（２）残存浮力と感度
水面上に残る同体積の残存浮力はその素材の比重に値する。この残存浮力は浮きが沈むときの入水抵抗となり、魚に違和感を与え小さな負荷での当たりが出にくい欠点となる。
【００１０】
この解決手段として、高比重の素材で浮き本体を形成し、従来よりも小さな錘を浮き下部に設けることにより浮きの体積を損なうことなく浮きの重心位置を上げることが出来る。
これにより入水時の負荷伝達の抵抗が小さくなり、「浮き中心軸が負荷方向に向きやすく抵抗の少ない入水角度」が得られる浮きとなる。
【００１１】
（３）安定性と負荷伝達
従来の浮きは、浮き本体を比重の軽い素材で成形し、浮き下部に多量の埋め込み錘を設けて低重心の構造となっている。この埋め込み錘は浮きの鉛直方向および水平方向の水面での安定性を主の目的としており、例えば特許文献２のような外周部に錘を設けることは水平の安定性の向上が図られている一例である。浮力を有する浮きにおいてはこれに各浮力を設定して水面上に残る残存浮力の調整が成される。しかしながら従来の素材比重による残存浮力は、波浪の波動運動において特に波の峰が通過するときに浮きが高く持ち上げられ、「波に同調した上下の揺れ」（フラツキ）が生じ水中の刺しエサに不自然な揺れが伝わる欠点がある。
【００１２】
これが非特許文献１「新しい海洋科学」１５４頁〜１５６頁に示されるように波動運動の軌道速度πＨ／Ｔと残存浮力との同調によるものであれば残存浮力が小さくなる程この軌道速度と残存浮力の関係に位相が生じ、波と浮きの同調が抑えられる。例えば、水分を含んだ流木と乾燥した流木が波に漂う様子を観察すると前者の方が波の同調は小さい。
【００１３】
本発明は、浮き本体を高比重の素材で成形するため残存浮力が小さいので波との同調が小さく、さらに水中からの潮流を受けた刺しエサの負荷でも浮きが引かれるので、波に同調した上下の揺れ（フラツキ）が抑えられる。その動きとして刺しエサが付いているときに波の峰が通過すると浮きは波高の頂点より下の水中を通して、刺しエサが無くなると峰の頂点の水面上に持ち上げられる動きが視認できる。
【００１４】
また平行方向の安定性は負荷方向に浮き中心軸が向きやすいほど負荷が伝わりやすくなるので、従来の重い錘や外周部の錘での鉛直方向および水平方向の安定性は水中から加わる浮き中心軸線に対し任意の角度を成し放射状に加わる負荷が伝わりにくい欠点となる。
【００１５】
以上のことから本発明は、浮き本体を低比重の素材で形成し、浮き下部に重い埋め込み錘を設けた低重心の従来の構造を、高比重の素材で浮き本体を形成することで体積を削減することなく軽量化した錘を浮き下部に設けて、重心位置を浮き縦方向の中間側に上げた構造にすることで、従来の欠点を改善し感度が良く安定性の良い浮きを提供することである。そして本発明のさらなる目的は、水中での負荷に対する浮きの順応性と感度の良い浮きを提供することである。
【００１６】
【課題を解決するための手段】
本発明は、上記課題を解決するためになされたもので、請求項１に記載のように浮きの下部に埋め込み錘２を設けた玉子型または円錐型の投げ込み浮きにおいて、浮き本体１を比重０．６以上の自然素材または樹脂成形品で形成すると共に、下部に埋め込む錘２を浮き本体重量よりも軽量の錘を埋め込むようにして高重心の浮きとしたことを第１の特徴とする。そして請求項２に記載のように、浮き本体１を自然素材ラミンで形成したことを第２の特徴とする。
【００１７】
従って、水中から浮きに加わる魚の当たりの伝達過程において、上重心なので水中の釣り糸と浮き最下部の接触点となる重量体が軽くなり、また重心も浮き縦方向の中間よりやや下側となるので、浮き中心軸線に対し任意の角度を成し放射状に加わる魚の当たりの負荷への抵抗が小さく浮き中心軸が負荷方向に向きやすくなるため抵抗の少ない入水角度が得られる好適な浮きとなる。
【００１８】
また浮き本体を比重の高い素材で形成したので、水面上に残る残存浮力が小さくなり、浮きが沈むときの抵抗が小さく魚へ与える違和感が軽減され魚の当たりが出やすい浮きとなる。
【００１９】
【発明の実施の形態】
以下、図示の実施例によって本発明を説明する。図１は本発明の１実施形態で浮きの縦断面図である。
【００２０】
浮き本体１を比重の大きな素材、例えば、非特許文献２に記載のラミン（Ｒａｍｉｎ）を用いる。浮き本体１の縦方向の中心には糸通し透孔３が配されている。浮き本体の下部に設ける錘２は、浮き本体の素材を比重の大きな素材で形成することにより従来よりも軽量の鉛、タングステン、鉄などの錘２が接着固定されている。また浮き本体１は比重０．６以上であればラミンに限らず他の自然素材、または発泡樹脂、プラスチック成形品を用いても良い。
【００２１】
１０ｃｍ３の浮きの従来品との比較を以下に示す。
従来の桐材（比重０．３）とラミン（比重０．６６）のそれぞれの浮き自体の重さは、
桐材      ０．３×１０ｃｍ３＝３ｇ
ラミン材  ０．６６×１０ｃｍ３＝６．６ｇ  となる。
１０ｃｍ３の浮きを完全に沈めると１０ｇの浮力が生じ、浮き自体の重さは上記式のとおりなので１０ｇの浮力とつりあうためには、
桐材  １０ｇ−３ｇ＝７ｇ
ラミン材  １０ｇ−６．６ｇ＝３．４ｇ  となる。
従って従来の浮きは桐材の本体３ｇに対し７ｇ以上の錘を下部に埋め込む必要があり低重心の構造となっていたが、本発明では比重の大きなラミンを用いるため浮き本体７ｇに対し埋め込み錘は３．４ｇであれば良く、浮き全体の形状、重量、体積を従来と同一としたとき浮き本体よりも軽量の錘を下部に埋め込むことになるから浮きの重心が中間近傍に移行した高重心の浮きとなる。
【００２２】
すなわち非特許文献２に示すラミンとを比較した場合、ラミンの気乾比重は０．６６であるから埋め込み錘は、桐材とラミンとの比重差となるから、（７ｇ−３．４ｇ）÷７ｇ×１００＝５１．４％に減量した錘を用いれば良い。従って浮きの形状、重量、体積を従来の桐材の浮きと同一としたとき、浮き本体ラミンの重量６．６ｇに対し３．４ｇの埋め込み鉛を下部に埋め込めばよく重心位置が従来の桐材のものに比べ下部から中間近傍に移行する。すなわち浮き下部に設ける錘２は浮き本体を比重の高い素材ラミンを用いることにより軽量の錘２ですむことになり高重心の浮きとなる。
【００２３】
また非特許文献１「新しい海洋科学」１１９頁の「海洋の密度層重安定度」に記載のように海水の密度ρと海水中の物体の密度ρ’との差が大きいほど物体の鉛直運動は速くなり、等しければ鉛直運動は起こらない。従って本発明のように浮き本体を従来よりも比重の大きな素材（ラミン）を用いることにより海水比重との差を小さくしたので鉛直運動、すなわち上下の揺れが小さくなり浮きとしての安定度が増すことになる。このことは例えば、水をたっぷり含んだ重い流木と軽い流木が波に漂う様子を観察すると重い流木のほうが浮き沈みが小さいことからも明らかである。
【００２４】
前記説明では、浮力を有する浮きで述べたが、前記浮きに限らず、浮力を有さない沈め浮き、水中浮き、重量体を有する棒浮き等各種の浮きにも適用可能である。
【００２５】
【発明の効果】
本発明は、以上説明したような形態で実施され、以下に記載されるような効果を奏する。
浮き本体を比重の高い素材で成形することにより浮き下部に埋設する錘を比重の小さな軽量のものを用いて重心を浮き本体の縦方向の中間近傍になるようにして、水中から加わる浮き中心軸線に対して任意の角度を成し放射状に加わる魚の当たりの負荷に対する抵抗が小さくなるため浮き中心軸が負荷方向に向きやすくなり、浮き中心軸が負荷方向に向いた抵抗の少ない入水角度が得られ魚信に対して感度の良い浮きとなる。
【００２６】
また、浮き本体が比重の高い素材で形成されるため、水面上に残る残存浮力が小さくなり、浮きが沈むときの抵抗が小さくなり魚へ与える違和感が軽減され魚の当たりが出やすくなる。
【図面の簡単な説明】
【図１】本発明に係る浮きの一実施形態を示す縦断面図。
【図２】浮きに対する負荷を示す説明図。
【符号の説明】
１    浮き本体
２    錘
３    糸通し孔
【図１】
2004337014.tif 000003
【図２】
2004337014.tif 000004